(57)【要約】【課題】本発明は、ユーザが現在の出力状態を容易に認識することができる情報処理端末、及び操作内容報知方法を提供することを課題とする。また、本発明は、不意の出力を未然に防止することができる情報処理端末、及び操作内容報知方法を提供することを課題とする。【解決部】本発明における情報処理端末１は、当該情報処理端末１本体に設けられた回転式操作部３を操作して設定した着信音量が最大値又は最小値となったことをユーザに報知することを特徴とする。【選択図】　図１
2004064660.tif 000002
【特許請求の範囲】
【請求項１】
各種操作を行う回転式操作部と、
当該回転式操作部による操作結果を出力する出力部と、
前記回転式操作部の回転量を測定する回転量測定部と、
当該回転量測定部の測定結果に応じて前記出力部から出力される操作結果の内容を報知する操作内容報知部と、
を備える情報処理端末。
【請求項２】
前記操作内容報知部を所定時間に作動させる設定を行うタイマ部を備える請求項１に記載の情報処理端末。
【請求項３】
前記操作内容報知部は、前記出力部から出力される出力内容が最大或いは最小であることを報知する請求項１又は２に記載の情報処理端末。
【請求項４】
前記出力部は音声を出力するスピーカであり、前記操作内容報知部は操作内容を音声にて報知する請求項１〜３の何れかに記載の情報処理端末。
【請求項５】
前記回転式操作部は前記スピーカから出力される音量を調節する請求項４に記載の情報処理端末。
【請求項６】
前記出力部が文字や図柄を表示する表示装置であるとき、前記操作内容報知部は前記表示装置の画面の輝度を変更する請求項１に記載の情報処理端末。
【発明の詳細な説明】
【０００１】
【発明の属する技術分野】
本発明は、端末から出力される出力内容を事前に報知する技術に関する。
【０００２】
【従来の技術】
近年、普及が著しいパーソナルコンピュータ（以下パソコンと称す），ＰＤＡ（Ｐａｒｓｏｎａｌ　Ｄｉｇｉｔａｌ　Ａｓｓｉｓｔａｎｔ），携帯電話等の端末にはスピーカ（ブザーを含む）が設けられている。
【０００３】
それに伴い、これらの機器にはスピーカからの出力音量を調節する操作部が設けられている。ユーザは、これらの端末に設けられた操作部を操作しスピーカから出力される音量を調節して適当な音量を得ていた。
【０００４】
ここで端末が携帯電話機である場合を例示する。尚、操作部は携帯電話機の着信音量を調節するものとする。つまり、ユーザは操作部を操作して着信音量を設定する。
【０００５】
ユーザが着信音量を所定の音量に設定したとする。すると、当然、次回の着信時には設定した音量で着信音が出力される。
【０００６】
【本発明が解決しようとする課題】
ところで、この操作部には、押しボタン式の操作部の他に回転式の操作部（公知技術）を用いることができる。この回転式操作部は操作部を回転させることにより操作を行う。
【０００７】
しかし、この回転式操作部は、所定の位置で止まることなく無制限に回転してしまう。そのため、ユーザは回転式操作部の操作量だけでは操作による設定状態を把握することが難しかった。ユーザは、設定状態を把握するために表示部に表示された設定内容を視認しなければならなかった。
【０００８】
また、ユーザが設定状態を把握していない場合、ユーザの意志に反した出力値で出力が成されてしまう虞があった。例えば、端末が携帯電話機であり、ユーザが着信音量の設定状態を把握していない場合、電車の中や建物の中で最大の音量で着信が出力されてしまう虞があった。
【０００９】
そこで本発明は上述した事項に鑑みて成された。即ち、本発明は、ユーザが現在の出力状態を容易に認識することができる情報処理端末を提供することを目的とする。
【００１０】
また、本発明は、不意の出力を未然に防止することができる情報処理端末を提供することを目的とする。
【００１１】
【課題を解決するための手段】
本発明は、前記課題を解決する為に以下の手段を採用した。
【００１２】
すなわち、本発明は情報処理端末であり、各種機能を格納した端末に設けられ、自身の回転動作により端末の各種操作を行う回転式操作部と、この回転式操作部による操作結果を出力する出力部と、回転式操作部の回転量を測定する回転量測定部と、この回転量測定部の測定結果に応じて出力部から出力される操作結果の内容を報知する操作内容報知部とを備える。
【００１３】
ここで、端末とは、例えば、パーソナルコンピュータ，ＰＤＡ，携帯電話等を挙げることができる。
【００１４】
本発明は、回転式操作部の操作結果の内容を報知することができる。そのため、本発明は回転式操作部が無制限に回転してしまい操作した感覚だけでは操作状態がわからなくなるという不具合を解消することができる。
【００１５】
さらに、本発明は、操作内容報知部を所定時間に作動させる設定を行うタイマ部を備える構成としても良い。
【００１６】
このタイマ部は、例えば、３時間毎に操作内容報知部が作動するように設定することが挙げられる。また、タイマ部は、いつも決まった時間に操作内容報知部が作動するように設定することもできる。
【００１７】
したがって、このタイマ部を電車に乗る時間の前や会議等が始まる時間の前に設定することとにより、出力部からの不意の出力を未然に防ぐことができる。
【００１８】
また、本発明における操作内容報知部は、出力部から出力される出力内容が最大値であることを報知すると好ましい。
【００１９】
ここで、端末を携帯電話機、出力部を着信音を出力するスピーカがを操作内容を音声（電子音等も含む）にて報知するとした場合を例に挙げる。尚、この場合における回転式操作部は、スピーカ（ブザーを含む）から出力される着信音量を調節する。
【００２０】
本発明の操作内容報知部は、回転式操作部を操作し着信音量が最大値に設定されたことを報知する。そのため、ユーザは着信音量が最大値に設定されていることを認識することができる。そこで、ユーザは必要であれば次回の着信までに着信音量の設定音量を下げる。これによって、不意の着信音量の大きさに予め対処することができる。
【００２１】
この他にも、本発明の操作内容報知部は、出力部から出力される出力内容が最小であることを報知する構成としてもよい。尚、本発明における出力内容は、着信音量だけには限らない。その他にも、出力内容として、受話音量であったり、表示装置に表示される画面の輝度等、音や光に関する出力内容を例示できる。
【００２２】
さらに、本発明における出力部は文字や図柄を表示す表示装置としても好適である。そして、このときの操作内容報知部は表示装置の画面の輝度を変更し操作内容を報知する構成とすると好ましい。
【００２３】
これにより、音を出力してはいけない場所にいる場合や端末が音を出力しない設定となっていた場合でも、ユーザは操作内容を確実に認識することができる。
【００２４】
また、本発明は、上述した情報端末における制御方法とすることもできる。加えて、本発明は、その方法をコンピュータやその他の装置・機械等が上記何れかの処理を実行するためのプログラムであってもよい。勿論、本発明は前述したプログラムをコンピュータ，その他の装置・機械等が読みとり可能な記録媒体に記録したものであっても良い。
【００２５】
【発明の実施の形態】
以下、図面を参照して本発明の好適な実施の形態を説明する。
【００２６】
＜概要説明＞
図１に本実施形態の情報処理端末１の概念図を示す。尚、本実施形態における情報処理端末１は携帯電話機であるとして説明する。
【００２７】
そして、本実施形態における情報処理端末１は、情報処理端末１本体に設けられた回転式操作部３を操作して設定した着信音量が最大値又は最小値となったことをユーザに報知する。
【００２８】
＜ハードウェア構成＞
次に、図１に示す本実施形態における情報処理端末１のハードウェア構成を説明する。
【００２９】
図２に本実施形態に係る情報処理端末１の機能を示すブロック図を示す。本実施形態の情報処理端末１は、情報処理端末１全体の制御を行う制御部４と、制御内容やその他のデータを記憶するメモリ５と、自身の回転動作により携帯電話機２の着信音量の設定を行う回転式操作部３と、この回転式操作部３による着信音量設定の結果を出力する出力部６，１８，１９と、回転式操作部３の回転量を測定する回転ボリューム検出回路７（回転量測定部）とを備えている。
【００３０】
この出力部は、音を出力するスピーカ（ブザーを含む）６，操作内容を表示する表示部２３，操作内容に応じて発光する発光ダイオード１８（以下、ＬＥＤ１８と称す），バイブレータ１９とを含んでいる。尚、これらの制御は上述した制御部４により行われる。
【００３１】
さらに、本実施形態における情報処理端末１には、回転ボリューム検出回路７からの検出結果に応じて出力部から出力される設定着信音量の状態を報知する操作内容報知部８（操作内容報知部）とを備える。
【００３２】
この操作内容報知部８は、回転式操作部３により出力部から出力される着信音量が最大値に設定されたことを報知する。報知の種類としては、音による報知、振動による報知、光による報知等を例示できる。
【００３３】
そのため、本実施形態における操作内容報知部８は、出力部であるスピーカ（ブザーを含む）６，バイブレータ１９，ＬＥＤ１８，表示部２３と兼用であるとする。
【００３４】
また、本実施形態における情報処理端末１には、操作内容報知部８を指定した時間に作動させる設定を行うタイマ部９が設けられている。このタイマ部９は情報処理端末１本体に設けられた入力操作部１０からの操作により設定される。尚、本実施形態の入力操作部１０には、携帯電話機のダイアルキー（０〜９までの数字キーやその他の記号キー）を適用することができる。
【００３５】
また、タイマ部９は、マイク２から入力された音声により操作・設定されるような構成であってもよい。
【００３６】
加えて、入力操作部１０は報知方法を設定することもできる。報知方法としては、例えば、音による報知方法，バイブレータの振動による報知方法，画面の輝度による報知方法，ＬＥＤの点灯による報知方法等が挙げられる。
【００３７】
また、回転式操作部３は、時計回りに回転するに従って着信音量を最大値へと移行し、反時計回りに回転するに従って着信音量を最小値へと移行する構成となっている。
【００３８】
この回転式操作部３は回転ボリューム検出回路７により着信音量の設定が行われる。図３に示すように、回転ボリューム検出回路７は、着信音量を大きくする為のロータリースイッチＡ１１と、着信音量を小さくする為のロータリースイッチＢ１２と、これらのスイッチからの信号に基づき回転方向を検出する回転方向検出部１３を有している。
【００３９】
例えば、回転式操作部３が時計回りに回転するとロータリースイッチＡ１１がＯＮとなりロータリースイッチＡ１１からの信号が回転方向を検出する回転方向検出部１３へと伝送される。
【００４０】
すると、回転方向検出部１３はロータリースイッチＡ１１からの信号であることを検出する。この検出結果を受けて制御部４は着信音量を大きくする為の制御を行う。
【００４１】
反対に、ロータリースイッチＢ１２がＯＮとなりその信号が回転方向検出部１３へ伝送された場合は、制御部４により着信音量が小さくなるような制御を行う。
【００４２】
また、図２に示す回転式操作部３は時計回り３０度毎に着信音量を一段階ずつ大きくすることができる。つまり、理論上回転式操作部３は一回転で着信音量を十二段階大きくすることができる。しかし、本実施形態における回転式操作部３は、着信音量を８段階に設定することとする。尚、本実施形態における回転式操作部３は−３０度毎に着信音量を一段階ずつ小さくすることができる。
【００４３】
さらに、本実施形態における図２に示すように、本実施形態における情報処理端末１には、通信の送受信を行う無線送受信部１４と、無線送受信部１４から送受信を行う為の搬送波の処理を行うベースバンド処理部１５が設けられている。
【００４４】
また、本実施形態における情報処理端末１には、ベースバンド処理部１５からの信号を出力部に出力したり、回転式操作部３又はマイク２からの入力信号をベースバンド処理部１５へ伝送する仲介を行うインターフェース１６が設けられている。
【００４５】
さらに、インターフェース１６は、制御部４からの信号を増幅する等の処理を行う音源集積回路１７（以下、音源ＬＳＩと称す）を介して制御部４と接続されている。
【００４６】
＜画面構成＞
次に図４〜図１１に基づき回転式操作部３を操作したときに表示部２３に表示される画面について説明する。
【００４７】
先ず、回転式操作部３を回転させ着信音量を大きくする操作をした場合に表示部２３に表示される画面について説明する。
【００４８】
図４は、着信音量が消音に設定されたときに表示部２３に表示される画面Ａである。この画面Ａには回転式操作部３のイメージ２０と、着信音量を段階的に表示する為に規則的に並んだ白抜きのボックス２１が６個表示されている。加えて、画面Ａの中央には「消音」という文字が表示されている。
【００４９】
図５は、着信音量が消音状態から一段階大きく設定されたときに表示部２３に表示される画面Ｂである。この画面Ｂは、前述した６個の白抜きのボックス２１のうちの１つが塗りつぶされた状態を表示している。尚、画面Ｂでは、画面Ａで表示されていた消音という文字は表示されない。
【００５０】
図６〜図１０は、図５に示す画面Ｂ中の白抜きのボックス２１が１個ずつ塗りつぶされていく状態を示している。
【００５１】
図６に示す画面Ｃは６個ある白抜きのボックス２１のうち２個が塗りつぶされた状態を示している。
【００５２】
図７に示す画面Ｄは６個ある白抜きのボックス２１のうち３個が塗りつぶされた状態を示している。
【００５３】
図８に示す画面Ｅは６個ある白抜きのボックス２１のうち４個が塗りつぶされた状態を示している。
【００５４】
図９に示す画面Ｆは６個ある白抜きのボックス２１のうち５個が塗りつぶされた状態を示している。
【００５５】
図１０に示す画面Ｇは６個ある白抜きのボックス２１のうち６個全部が塗りつぶされた状態を示している。
【００５６】
また、図１１は、着信音量が次第に大きくなっていく設定とした場合に表示部２３に表示される画面Ｈである。この画面Ｈには、回転式操作部３のイメージ２０と、画面Ｈの中央に逆三角形とが表示されている。さらに、この逆三角形上に「だんだん大きく」の文字２２が表示されている。
【００５７】
以上が、着信音量を消音から最大音量へと設定した際に表示部２３に表示される画面の説明である。
【００５８】
また、回転式操作部３を回転させ着信音量を最大から消音へ移行するように設定する場合は、上述した図４〜図１１に示す画面Ａ〜画面Ｈが、表示画面に画面Ｈから画面Ａの順で表示部２３に表示される。
【００５９】
以上が回転式操作部３を操作したときに表示部２３に表示される画面についての説明である。
【００６０】
＜作用＞
次に、本実施形態における情報処理端末１により着信音量が最大値に設定されていることを報知するための制御処理について図１２、及び図１３に示すフローチャートに基づき説明する。
【００６１】
先ず、図２に示す携帯電話機２の電源がＯＮの状態であることを前提とする（Ｓ０１）。次に、制御部４は制御に関するパラメータを初期値へと戻す処理を行う（Ｓ０２）。すると、制御部４は表示部２３に待ち受け画面を表示する処理を行う（Ｓ０３）。
【００６２】
次に、図２に示すタイマ部９により操作内容報知部８の作動が設定が成されているか否かを判断する（Ｓ０４）。ここで、制御部４によりタイマ部９の設定が成されていると判断された場合、設定時間が経過したか否かを判断する（Ｓ０５）。
【００６３】
そして、ステップ０５で設定時間が経過したと制御部４が判断した場合、着信音量が最大に設定されているかを判断する（Ｓ０６）。ここで着信音量が最大に設定されている場合、ステップ２７のアラームを出力する工程へと進む。
【００６４】
一方、ステップ０６で制御部４が着信音量は最大ではないと判断した場合、図２に示す回転式操作部３が操作されるのを待機する（Ｓ０７）。
【００６５】
また、ステップ０４で制御部４によりタイマ部９の設定が成されていないと判断された場合はステップ０７へと進む。
【００６６】
そして、回転式操作部３が操作されると、制御部４は回転式操作部３が時計回りに操作されたか否かを判断する（Ｓ０８）。これは前述したように、回転方向検出部１３からの検出信号に基づき判断される。
【００６７】
ここで、制御部４が回転式操作部３は時計回りに操作されたと判断すると、制御部４は音源ＬＳＩ１７中のパラメータをプラス１に設定する制御を行う（Ｓ０９）。このとき、制御部４はパラメータが０に設定されているか否かを判断する（Ｓ１０）。
【００６８】
ここで、制御部４がパラメータは０であると判断すると、制御部４は表示部２３に図４に示す画面Ａを示す制御を行う（Ｓ１１）。
【００６９】
また、ステップ１０で制御部４がパラメータは０ではないと判断した場合、パラメータが１であるか否かを判断する（Ｓ１２）。
【００７０】
ここで、パラメータが１である場合、制御部４は表示部２３に図５に示す画面Ｂを示す制御を行う（Ｓ１３）。一方、ステップ１２でパラメータが１ではない場合、制御部４はパラメータが２であるか否かを判断する（Ｓ１４）。
【００７１】
ここで、パラメータが２である場合、制御部４は表示部２３に図６に示す画面Ｃを示す制御を行う（Ｓ１５）。一方、ステップ１４でパラメータが２ではない場合、制御部４はパラメータが３であるか否かを判断する（Ｓ１６）。
【００７２】
ここで、パラメータが３である場合、制御部４は表示部２３に図７に示す画面Ｄを示す制御を行う（Ｓ１７）。一方、ステップ１６でパラメータが３ではない場合、制御部４はパラメータが４であるか否かを判断する（Ｓ１８）。
【００７３】
ここで、パラメータが４である場合、制御部４は表示部２３に図８に示す画面Ｅを示す制御を行う（Ｓ１９）。一方、ステップ１８でパラメータが４ではない場合、制御部４はパラメータが５であるか否かを判断する（Ｓ２０）。
【００７４】
ここで、パラメータが５である場合、制御部４は表示部２３に図９に示す画面Ｆを示す制御を行う（Ｓ２１）。一方、ステップ２０でパラメータが５ではない場合、制御部４はパラメータが６であるか否かを判断する（Ｓ２２）。
【００７５】
ここで、パラメータが６である場合、制御部４は表示部２３に図１０に示す画面Ｇを示す制御を行う（Ｓ２３）。一方、ステップ２２でパラメータが６ではない場合、制御部４はパラメータが７であるか否かを判断する（Ｓ２４）。
【００７６】
ここで、パラメータが７である場合、制御部４は表示部２３に図１１に示す画面Ｈを示す制御を行う（Ｓ２５）。一方、ステップ２４でパラメータが７ではない場合も、図１１に示す画面Ｈを示す制御を行う（Ｓ２６）。
【００７７】
このとき、制御部４は着信音量が最大値に設定されていると判断しスピーカ６（操作内容報知部８）からアラームを出力する制御を行う（Ｓ２７）。そして、制御部４はアラームを出力した後パラメータを８に設定する（Ｓ２８）。
【００７８】
そして、制御部４はバイブレータ１９による報知が設定されているか否かを判断する（Ｓ２９）。ここで、バイブレータ１９による報知が設定されている場合、制御部４はバイブレータ１９（操作内容報知部８）を作動させる制御を行う（Ｓ３０）。
【００７９】
さらに、制御部４はＬＥＤ１８による報知が設定されているか否かを判断する（Ｓ３１）。ここで制御部４がＬＥＤ１８による報知は設定されていると判断すると、ＬＥＤ１８（操作内容報知部８）を点灯させる制御を行う（Ｓ３２）。
【００８０】
そして、ステップ０３へ戻り同様の処理を繰り返す。
【００８１】
また、ステップ２９で制御部４がバイブレータ１９による報知は設定されていないと判断した場合はステップ３１へと進む。
【００８２】
さらに、ステップ３１で制御部４がＬＥＤ１８による報知は設定されていないと判断した場合は、ステップ０３へ戻り上述した処理を繰り返す。
【００８３】
以上が、本実施形態における情報処理端末１により着信音量が最大値に設定されていることを報知するための処理工程である。
【００８４】
次に、本実施形態における情報処理端末１により着信音量が最小値に設定されていることを報知するための制御処理について図１２、及び図１３に示すフローチャートに基づき説明する。
【００８５】
尚、ステップ０１〜０５までは上述した着信音量が最大値に設定されていることを報知するための制御処理と同様であるため説明を省略する。
【００８６】
ステップ０５で設定時間が経過したと図２に示す制御部４が判断した場合、着信音量が最小に設定されているかを判断する（Ｓ１０６）。ここで着信音量が最大に設定されている場合、ステップ１２７のアラームを出力する工程へと進む。
【００８７】
一方、ステップ１０６で制御部４が着信音量は最大ではないと判断した場合、図２に示す回転式操作部３が操作されるのを待機する（Ｓ１０７）。
【００８８】
また、ステップ０４で制御部４によりタイマ部９の設定が成されていないと判断された場合はステップ１０７へと進む。
【００８９】
回転式操作部３が操作されると、制御部４は回転式操作部３が時計回りに操作されたか否かを判断する（Ｓ１０８）。これは前述したように、回転方向検出部１３からの検出信号に基づき判断される。
【００９０】
ここで、制御部４が回転式操作部３は時計回りに操作されていない、すなわち反時計回りに操作されたと判断すると、制御部４は音源ＬＳＩ１７中のパラメータをマイナス１に設定する制御を行う（Ｓ１０９）。このとき、制御部４はパラメータが７に設定されているか否かを判断する（Ｓ１１０）。
【００９１】
ここで、制御部４がパラメータは７であると判断すると、制御部４は図１１に示す画面Ｈを示す制御を行う（Ｓ１１１）。
【００９２】
また、ステップ１１０で制御部４がパラメータは７ではないと判断した場合、パラメータが６であるか否かを判断する（Ｓ１１２）。
【００９３】
ここで、パラメータが６である場合、制御部４は表示部２３に図１０に示す画面Ｇを示す制御を行う（Ｓ１１３）。一方、ステップ１１２でパラメータが６ではない場合、制御部４はパラメータが５であるか否かを判断する（Ｓ１１４）。
【００９４】
ここで、パラメータが５である場合、制御部４は表示部２３に図９に示す画面Ｆを示す制御を行う（Ｓ１１５）。一方、ステップ１１４でパラメータが５ではない場合、制御部４はパラメータが４であるか否かを判断する（Ｓ１１６）。
【００９５】
ここで、パラメータが４である場合、制御部４は表示部２３に図８に示す画面Ｅを示す制御を行う（Ｓ１１７）。一方、ステップ１１６でパラメータが４ではない場合、制御部４はパラメータが３であるか否かを判断する（Ｓ１１８）。
【００９６】
ここで、パラメータが３である場合、制御部４は表示部２３に図７に示す画面Ｄを示す制御を行う（Ｓ１１９）。一方、ステップ１８でパラメータが４ではない場合、制御部４はパラメータが２であるか否かを判断する（Ｓ１２０）。
【００９７】
ここで、パラメータが２である場合、制御部４は表示部２３に図６に示す画面Ｃを示す制御を行う（Ｓ１２１）。一方、ステップ１２０でパラメータが２ではない場合、制御部４はパラメータが１であるか否かを判断する（Ｓ１２２）。
【００９８】
ここで、パラメータが１である場合、制御部４は表示部２３に図５に示す画面Ｂを示す制御を行う（Ｓ１２３）。一方、ステップ１２２でパラメータが１ではない場合、制御部４はパラメータが０であるか否かを判断する（Ｓ１２４）。
【００９９】
ここで、パラメータが０である場合、制御部４は表示部２３に図４に示す画面Ａを示す制御を行う（Ｓ１２５）。一方、ステップ１２４でパラメータが０ではない場合も、表示部２３に図４に示す画面Ａを示す制御を行う（Ｓ１２６）。
【０１００】
このとき、制御部４は着信音量が最小値に設定されていると判断しスピーカ６（操作内容報知部８）からアラームを出力する制御を行う（Ｓ１２７）。そして、制御部４はアラームを出力した後パラメータを８に設定する（Ｓ１２８）。
【０１０１】
そして、制御部４はバイブレータ１９による報知が設定されているか否かを判断する（Ｓ１２９）。ここで、バイブレータ１９による報知が設定されている場合、制御部４はバイブレータ１９（操作内容報知部８）を作動させる制御を行う（Ｓ１３０）。
【０１０２】
さらに、制御部４はＬＥＤ１８による報知が設定されているか否かを判断する（Ｓ１３１）。ここで制御部４がＬＥＤ１８による報知は設定されていると判断すると、ＬＥＤ１８（操作内容報知部８）を点灯させる制御を行う（Ｓ１３２）。そして、ステップ１３２を実行した後は再びステップ０３へ戻り同様の処理を繰り返す。
【０１０３】
また、ステップ１２９で図１に示す制御部４がバイブレータ１９による報知は設定されていないと判断した場合はステップ１３１へと進む。
【０１０４】
さらに、ステップ１３１で制御部４がＬＥＤ１８による報知は設定されていないと判断した場合は、ステップ０３へ戻り上述した処理を繰り返す。
【０１０５】
以上が、本実施形態における情報処理端末１により着信音量が最小値に設定されていることを報知するための処理工程である。
【０１０６】
上述したように、本実施形態における情報処理端末１によれば、ユーザは設定された着信音量のレベルを容易に認識することができる。
【０１０７】
また、本実施形態における情報処理端末１は、着信音量が最大・最小値に設定されていることを音，バイブレータ１９による振動，ＬＥＤ１８・画面による光の三つの操作内容報知部（手段）により報知することができる。そのため、着信音量の設定状態を確実にユーザに報知することができる。
【０１０８】
また、本実施形態における情報処理端末１は、報知部を選択することができるため、どのような状態・環境においても好適に使用することができる。
【０１０９】
加えて、本実施形態における情報処理端末１はユニバーサルデザインを適用した携帯電話機にも好適に用いることができる。
【０１１０】
＜変形例＞
上記実施形態では、操作内容報知部８を図２に示すスピーカ（ブザーも含む）６，バイブレータ１９，ＬＥＤ１８とし、これらにより着信音量の設定内容を報知する構成を説明した。しかし、本発明の実施はそのような構成には限定されない。
【０１１１】
その他の報知構成としては、操作内容報知部８を表示部２３とし、この表示部２３に表示された画面の輝度を変化させることにより設定内容を報知する構成を例示できる。さらに、画面のコントラストを変化させることにより設定内容を報知する構成としても良い。
【０１１２】
＜その他＞
さらに、本実施形態は以下の発明を開示する。また、以下の発明（以下付記と称す）の何れかに含まれる構成要素を他の付記の構成要素と組み合わせても良い。
（付記１）
各種機能を格納した端末に設けられ、自身の回転動作により前記端末の各種操作を行う回転式操作部と、
当該回転式操作部による操作結果を出力する出力部と、
前記回転式操作部の回転量を測定する回転量測定部と、
当該回転量測定部の測定結果に応じて前記出力部から出力される操作結果の内容を報知する操作内容報知部と、
を備える情報処理端末。（１）
（付記２）
前記操作内容報知部を所定時間に作動させる設定を行うタイマ部を備える付記１に記載の情報処理端末。（２）
（付記３）
前記操作内容報知部は、前記出力部から出力される出力内容が最大或いは最小であることを報知する付記１又は２に記載の情報処理端末。
（付記４）
前記出力部からの出力値は、前記回転式操作部が時計回りに回転するに従って最大出力値へと移行する付記１〜３の何れかに記載の情報処理端末。
（付記５）
前記出力部からの出力値は、前記回転式操作部が反時計回りに回転するに従って最小出力値へと移行する付記１〜４の何れかに記載の情報処理端末。
（付記６）
前記回転量測定部は、前記回転式操作部の回転角度或いは回転数を測定する付記１〜５の何れかに記載の情報処理端末。
（付記７）
前記出力部は音声を出力するスピーカであり、前記操作内容報知部は操作内容を音声にて報知する付記１〜６の何れかに記載の情報処理端末。（７）
（付記８）
前記回転式操作部は前記スピーカから出力される音量を調節する付記７に記載の情報処理端末。（８）
（付記９）
前記操作内容報知部は前記表示装置の画面の輝度を調節する付記１〜６の何れかに記載の情報処理端末。（９）
（付記１０）
前記回転式操作部は前記表示装置の画面の輝度を調節する付記９に記載の情報処理端末。
（付記１１）
操作装置の回転から操作結果を検出するステップと、
当該操作装置の操作結果を出力部から出力するステップと、
前記操作装置の回転量を測定するステップと、
測定結果に応じて前記出力部から出力される操作結果の内容を報知するステップと、
をコンピュータにより実行可能な操作内容報知プログラム。
【０１１３】
【発明の効果】
以上のことにより、本発明によれば、ユーザが現在の出力状態を容易に認識することができる情報処理端末を提供することを可能となる。
【０１１４】
また、本発明によれば、端末からの不意の出力を未然に防ぐことができる情報処理端末を提供することができる。
【図面の簡単な説明】
【図１】本実施形態における情報処理端末の概念図である。
【図２】本実施形態における情報処理端末の機能ブロック図である。
【図３】本実施形態における回転式操作部の回路図である。
【図４】本実施形態における表示部に表示される画面Ａである。
【図５】本実施形態における表示部に表示される画面Ｂである。
【図６】本実施形態における表示部に表示される画面Ｃである。
【図７】本実施形態における表示部に表示される画面Ｄである。
【図８】本実施形態における表示部に表示される画面Ｅである。
【図９】本実施形態における表示部に表示される画面Ｆである。
【図１０】本実施形態における表示部に表示される画面Ｇである。
【図１１】本実施形態における表示部に表示される画面Ｈである。
【図１２】本実施形態における操作内容報知処理工程を示すフローチャートである。
【図１３】本実施形態における操作内容報知処理工程を示すフローチャートである。
【符号の説明】
１　情報処理端末
２　マイク
３　回転式操作部
４　制御部
５　メモリ
６　スピーカ（出力部）
７　回転ボリューム検出回路（回転量測定部）
８　操作内容報知部
９　タイマ部
１０　入力操作部
１１　ロータリースイッチＡ
１２　ロータリースイッチＢ
１３　回転方向検出部
１４　無線送受信部
１５　ベースバンド処理部
１６　インターフェース
１７　音源集積回路（ＬＳＩ）
１８　発光ダイオード（ＬＥＤ）（出力部）
１９　バイブレータ（出力部）
２０　回転式操作部のイメージ図
２１　白抜きのボックス
２２　文字
２３　表示部（表示装置，出力部）
【図１】
2004064660.tif 000003
【図２】
2004064660.tif 000004
【図３】
2004064660.tif 000005
【図４】
2004064660.tif 000006
【図５】
2004064660.tif 000007
【図６】
2004064660.tif 000008
【図７】
2004064660.tif 000009
【図８】
2004064660.tif 000010
【図９】
2004064660.tif 000011
【図１０】
2004064660.tif 000012
【図１１】
2004064660.tif 000013
【図１２】
2004064660.tif 000014
【図１３】
2004064660.tif 000015